(57)【要約】  角度の付いた柄を備える縄跳びの縄が説明してある。一つの通常長い部分（１）を掌と指の間で保持する。第２部分（２）は、角度を成し、その端から突出する旋回取付けした縄（５）を有する。跳ぶとき、掌を跳ぶ人の大腿部に向けるが縄の端を外方に向けて手を保持することが出来る。これは、手を外方に広げた慣例的姿勢より快適な縄跳び姿勢である。
2007528249.tif 000002
【特許請求の範囲】
【請求項１】
各端に柄を有する１本の縄から成り、各柄は、この柄の縄から遠く離れた一部を跳ぶ人の手で実質的に水平に且つ跳ぶ人の身体の平面と直角に伸びる軸に沿って整列して保持するとき、この柄の他の部分がこの縄を跳ぶ人の身体から離して横に外方に導くように、各柄が少なくとも６０°に亘って曲りまたは角度を成す細長い部材である縄跳びの縄。
【請求項２】
請求項１に記載の縄跳びの縄に於いて、前記柄が全体としてＬ字形である縄跳びの縄。
【請求項３】
請求項２に記載の縄跳びの縄に於いて、前記Ｌ字の端の一つが他に対して少なくとも７５°の角度を成す縄跳びの縄。
【請求項４】
請求項３に記載の縄跳びの縄に於いて、前記角度が少なくとも８５°である縄跳びの縄。
【請求項５】
請求項１から請求項４までの何れか一項に記載の縄跳びの縄に於いて、前記縄の端に隣接する前記柄の部分を細めまたは狭めて、ユーザの手の指の間に快適に位置付けることができる狭窄部または頸部を提供する縄跳びの縄。
【請求項６】
請求項１から請求項５までの何れか一項に記載の縄跳びの縄に於いて、前記縄それ自体の前記柄への旋回結合がソケットの中で回転するボールを含む縄跳びの縄。
【請求項７】
請求項１から請求項６までの何れか一項に記載の縄跳びの縄に於いて、前記柄の外部輪郭が前記手の輪郭と合うように構成してある縄跳びの縄。
【発明の詳細な説明】
【技術分野】
【０００１】
この発明は、縄跳びの縄に関する。
【背景技術】
【０００２】
縄跳びの縄は、最も古く且つ最も良く知られた、人間の運動用具の一つである。子供の遊び道具として、それは、何代にも亘っておよび文化を越えて人気を維持する。しかし、それは、より健康で体調よく維持したい多くの人、および特に縄跳びの運動が特定の筋肉の強さおよび張りを向上する者、最も顕著には（しかし排他的でなく）ボクサーによって、真面目な運動用具としても使われている。
【０００３】
国際公報ＷＯ０１／５６６６０は、縄の各端と一直線を成す、従来の一般的に細長い柄の代りに、Ｔ字形の柄を有し、縄がこのＴ字の縦棒の下端に旋回できる方法で取付けてある、縄跳びの縄を開示する。このＴ字の横棒を本質的に手の掌で保持し、指をその周りに曲げて、このＴ字の垂直部がこの跳ぶ人の２本の指の間に伸びる。これは、手を跳ぶ人の体側で快適な位置にして、即ち、掌を本質的に跳ぶ人の大腿部の方へ内方に向けて縄跳びを出来るようにする。これは、跳ぶ人が手を幾分厄介な位置へ外方に廻さねばならない古典的縄跳びの縄を使うとき採る必要がある従来の姿勢より遥かに快適である。
【発明の開示】
【発明が解決しようとする課題】
【０００４】
上記の明細書に記載してあるＴ字形柄を有する縄跳びの縄は、多くのユーザに具合が良いが、一部の人々はＴ字形柄の操作が不快であることに気付き、および特にある人達は、軸が指の間を通る感触を好まない。本発明は、これらの欠点を多少とも解消し、且つ多数の先行技術の示唆とは異なるが、前記の公報に記載してある縄跳びの縄の使い易さを維持する柄の付いた縄跳びの縄を提供することを追求する。
【０００５】
ＷＯ−９９／３８５７４は、全体的に湾曲した柄の付いた縄跳びの縄を開示するが、それらは、跳ぶ人の手に快適な跳ぶ位置はもたらさない。
【課題を解決するための手段】
【０００６】
一般的に本発明によれば、各端に柄を有する１本の縄から成り、各柄は、この柄の縄から遠く離れた一部を跳ぶ人の手で実質的に水平に且つ跳ぶ人の身体の平面と直角に伸びる軸に沿って整列して保持するとき、この柄の他の部分がこの縄を跳ぶ人の身体から離して横に外方に導くように、各柄が少なくとも６０°に亘って曲りまたは角度を成す細長い部材である縄跳びの縄が提供される。
【０００７】
この柄は、一般的にＬ字形であるのが好ましく、このＬの両端の一つが他に対して少なくとも７５°、更に好ましくは少なくとも８５°の角度を成すのが好ましい。それで、本発明による縄跳びの縄の柄は、因習的に“Ｌ形”と考えてもよく、このＬの短い部分を跳ぶ人の身体から横に外方に向け、このＬの長い部分を掌と丸めた指の間に保持する。
【０００８】
そのような構成は、この曲った短い部分を人差指の第１手根骨を横切って直接外方に伸して都合よく且つ快適に使うことができる。
【０００９】
もし望むなら、縄の端に隣接する柄の部分は、細めまたは狭めてもよく、そうすればこの狭窄部または頸部をユーザの手の指の間に位置付けることが出来る。これは、幾分よりぴったりした収りをもたらし、この柄が跳ぶ人の手から一般的に手の中にあるこの柄の細長い部分の方向に抜出る危険を減少する。そのような動向は、通常短い部分が指の間に、特に通常２本の隣接する指、通常最も快適には人差指と中指の第１手根骨の間にあれば防げる。
【００１０】
本発明による縄跳びの縄の柄は、任意の適当な材料でおよび任意の都合の良い製造方法で作ってもよい。同様に、この縄それ自体の柄への旋回結合は、任意の都合の良い既知の形、例えば、公報ＷＯ０１／５６６６０に図示してあるソケットの中で回転するボールの形を採ってもよい。
【００１１】
この柄の部分の正確な断面は、変ってもよい。円形断面が一般的には製造容易であるが、握るのが常に理想的ではない。この柄の外部輪郭は、それを握る手の輪郭とよく合うように構成してもよい。この柄を二つの部分に分けて、例えば、曲りまたは角度を成す管状金属ベースに、例えば、軟質プラスチックまたはゴム状組成物で作り且つこの管状ベースの上に、自転車のハンドル・グリップのように、ぴったりと圧入する寸法になっている、差込み式握りカバーを付けて作ることが考えられる。
【００１２】
この柄の正確な形状および大きさは、設計の問題である。多種多様な設計を例として添付の図面に示す。これらの各々には、１本の縄が伸びる柄を１本しか示さない。他の柄は、図示するものに匹敵し、それらの間の縄の大部分は、適当な長さに亘って伸びるが、その一端しか示さない。
【実施例１】
【００１３】
図１を参照すると、これは、長い部分１と短い部分２から成る、簡単なＬ字形柄を示す。部分１および２は、大まかに３で示す、成形した角度を成す角部で合体する。
【００１４】
部分２の自由端から伸びるのは、縄５で、それは、例えば、部分２の端にカップ状ソケットの中で自由に回転可能に取付けたボール６の中の結び目によって、繋留してある。縄５は、部分２の端部と同じ方向に伸びるように図示してあり、およびこの縄の軸、従ってこの柄の端部を８で表す。この柄の主部１の軸は、９で表し、軸８と９の間の角度は、９０°くらいであるのが好ましい。
【００１５】
使用する際、縄５の各端に一つ、二つの柄をユーザが部分１を自分の掌と指の間に丸めておよび部分２を外方に向けて握る。もし望むなら、この柄は、部分２をユーザの手の指の間に通して、例えば、図１を跳ぶ人の左手で保持した柄の上から見た斜視図を示すとするならば、この図に示すように、この跳ぶ人の左人差指を位置Ａに置き、および左手の中指を位置Ｂに置くことができるように使うことができる。
【実施例２】
【００１６】
図２は、この柄の主部が幾分更に広く湾曲した代替実施例を示す。図１に示したものと類似の部分は、類似の参照番号を有する。しかし、図１の比較的角張った形状と対照的に、図２に示す柄は、より穏やかに丸めてある。それで、この縄から、この柄は、短いソケット部１０、くびれた部分１１、次に穏やかに湾曲した部分１２および最後に比較的真っ直ぐな尾部１３から成る。前と同様、部分１０の軸８と部分１３の軸９の間の角度は、少なくとの７５°であるのが好ましく、少なくとも８５°であるのが更に好ましい。前と同様に、もし望むなら、ユーザは、自分の２本の指を部分１１のどちらかの側に、ＡおよびＢと印した位置に置いてもよい。
【実施例３】
【００１７】
図３および４は、それぞれの場合に柄の代替デザインを、斜視図、側面図、平面図および端面図で示す。
【図１】
2007528249.tif 000003
【図２】
2007528249.tif 000004
【図３】
2007528249.tif 000005
【図４】
2007528249.tif 000006
【国際調査報告】
2007528249.tif 000007
2007528249.tif 000008